(57)【特許請求の範囲】
【請求項１】
通信システムのｅＮＢにおけるＰｒｏＳｅサービスを制御する方法であって、
Ａ．共有セルにおいて、第１のＰＬＭＮ識別子を前記共有セルのＵＥへ送信するステップであって、前記第１のＰＬＭＮ識別子は、第１のＰＬＭＮのＵＥが、前記ｅＮＢによって制御されており前記第１のＰＬＭＮおよび他のＰＬＭＮによって共有される前記共有セルにおいて前記ＰｒｏＳｅサービスを実行することができることを指示する、ステップと、
Ｂ．前記共有セルにおいて、前記他のＰＬＭＮの少なくとも１つの搬送波周波数についての情報を前記共有セルの前記ＵＥに送信するステップであって、前記少なくとも１つの搬送波周波数についての前記情報は、前記他のＰＬＭＮのＵＥが前記ＰｒｏＳｅサービスを実行することができる前記少なくとも１つの搬送波周波数を指示する、ステップと、
Ｃ．前記他のＰＬＭＮの前記ＵＥによる前記他のＰＬＭＮにおける前記ＰｒｏＳｅサービスを実行する意図のインジケータを受信する場合、次いで、ハンドオーバー手順を開始するステップとを含む、方法。
【請求項２】
前記ステップＣの後、
Ｄ１．前記ハンドオーバー手順が失敗する場合、ＲＲＣ接続解放命令を前記他のＰＬＭＮの前記ＵＥに送信して、前記他のＰＬＭＮの前記ＵＥに、前記ｅＮＢとのＲＲＣ接続を解放してアイドル状態に入るように命令するステップと、
Ｄ２．前記ハンドオーバー手順が失敗する場合、解放接続要求を前記他のＰＬＭＮの前記ＵＥから受信し、受信された前記解放接続要求に応答して、ＲＲＣ接続解放命令を前記他のＰＬＭＮの前記ＵＥに送信して、前記他のＰＬＭＮの前記ＵＥに、前記ｅＮＢとのＲＲＣ接続を解放してアイドル状態に入るように命令するステップと、をさらに含む、請求項１に記載の方法。
【請求項３】
Ｄ３．前記ハンドオーバー手順が失敗する場合、ＤＲＸ構成情報を前記他のＰＬＭＮの前記ＵＥに送信するステップであって、前記ＤＲＸ構成情報は前記他のＰＬＭＮの前記ＵＥが前記ＰｒｏＳｅサービスを実行するスリープ時間を指示する、ステップをさらに含む、請求項２に記載の方法。
【請求項４】
前記ステップＡの後、
Ｈ．前記第１のＰＬＭＮに対応する、前記ＰｒｏＳｅサービスが前記共有セルにおいて実行される第１の期間を前記ＵＥに送信するステップと、
Ｌ．前記他のＰＬＭＮ識別子、および、前記他のＰＬＭＮ識別子に対応する、前記ＰｒｏＳｅサービスが前記共有セルにおいて実行される第２の期間を前記ＵＥに送信するステップと、
Ｄ４．前記他のＰＬＭＮにおける前記ＰｒｏＳｅサービスを実行するための無線リソースについての情報を前記他のＰＬＭＮの前記ＵＥから受信するステップであって、前記無線リソースについての前記情報は前記無線リソースに対応する時間窓を含み、前記時間窓は前記第２の期間に位置するステップと、をさらに含む、請求項１に記載の方法。
【請求項５】
前記ステップＤ４の後、Ｄ４１．前記他のＰＬＭＮの前記ＵＥが前記時間窓において前記共有セル内でスケジューリングされないようにするステップをさらに含む、請求項４に記載の方法。
【請求項６】
通信システムのＵＥにおけるＰｒｏＳｅサービスを制御する方法であって、
ａ．第１のＰＬＭＮ識別子を共有セルのｅＮＢから受信するステップであって、前記第１のＰＬＭＮ識別子は、第１のＰＬＭＮのＵＥが、ｅＮＢによって制御されており前記第１のＰＬＭＮおよび他のＰＬＭＮによって共有される前記共有セルにおける前記ＰｒｏＳｅサービスを実行できることを指示する、ステップと、
ｂ．前記他のＰＬＭＮの少なくとも１つの搬送波周波数についての情報を前記ｅＮＢから受信するステップであって、前記少なくとも１つの搬送波周波数についての前記情報は、前記他のＰＬＭＮのＵＥが前記ＰｒｏＳｅサービスを実行することができる前記少なくとも１つの搬送波周波数を指示する、ステップと、
ｃ．前記他のＰＬＭＮの前記ＵＥが前記他のＰＬＭＮにおける前記ＰｒｏＳｅサービスを実行しようとしかつアイドル状態にある場合、セルを再選択する、前記他のＰＬＭＮの前記ＵＥが前記他のＰＬＭＮにおける前記ＰｒｏＳｅサービスを実行しようとしかつ接続状態にある場合、前記ＰｒｏＳｅサービスを実行する意図のインジケータを前記ｅＮＢに送信するステップとを含む、方法。
【請求項７】
前記ステップｃの後、ｄ０．ハンドオーバーが成功する場合、前記他のＰＬＭＮの前記ＵＥを、前記ＰｒｏＳｅサービスを実行するための適切なセルに切り換えて前記ＰｒｏＳｅサービスを実行するステップをさらに含む、請求項６に記載の方法。
【請求項８】
前記ステップｃの後、
ｄ１．前記他のＰＬＭＮの前記ＵＥが、前記ＰｒｏＳｅサービスを実行する意図の前記インジケータを前記ｅＮＢに送信した後、ある期間において前記共有セルから別のセルにハンドオーバーされなかった場合、前記ｅＮＢからＲＲＣ接続解放命令を受信し、前記ｅＮＢとのＲＲＣ接続を解放し、前記ＲＲＣ接続解放命令に応答して前記アイドル状態に入るステップ、または、
ｄ２．前記他のＰＬＭＮの前記ＵＥが、前記ＰｒｏＳｅサービスを実行する意図の前記インジケータを前記ｅＮＢに送信した後、ある期間において前記共有セルから別のセルにハンドオーバーされなかった場合、前記ｅＮＢに解放接続要求を送信し、前記ｅＮＢからの受信されたＲＲＣ接続解放命令に応答して、前記ｅＮＢとのＲＲＣ接続を解放し、前記アイドル状態に入るステップをさらに含む、請求項７に記載の方法。
【請求項９】
ｅ．前記他のＰＬＭＮの前記ＵＥが前記アイドル状態にある場合、前記他のＰＬＭＮの前記ＵＥによって前記少なくとも１つの搬送波周波数におけるセルを優先的に選択し、ＰＬＭＮを選択し、前記ＰｒｏＳｅサービスを実行するために前記少なくとも１つの搬送波周波数において前記ＰｒｏＳｅサービスを実行するための適切なセルを再選択するステップをさらに含む、請求項６または８に記載の方法。
【請求項１０】
前記ステップｃの後、
ｄ３．前記他のＰＬＭＮの前記ＵＥが、前記ＰｒｏＳｅサービスを実行する意図の前記インジケータを前記ｅＮＢに送信した後、ある期間において前記共有セルから別のセルにハンドオーバーされなかった場合、ＤＲＸ構成情報を前記ｅＮＢから受信するステップであって、前記ＤＲＸ構成情報は、前記他のＰＬＭＮの前記ＵＥが前記ＰｒｏＳｅサービスを実行するスリープ時間を含む、ステップをさらに含む、請求項６に記載の方法。
【請求項１１】
前記ステップａの後、
ｈ．前記第１のＰＬＭＮに対応する、前記ＰｒｏＳｅサービスが前記共有セルにおいて実行される第１の期間を前記ｅＮＢから受信するステップと、
ｌ．前記他のＰＬＭＮ識別子、および、前記他のＰＬＭＮ識別子に対応する、前記ＰｒｏＳｅサービスが前記共有セルにおいて実行される第２の期間を前記ｅＮＢから受信するステップと、
ｄ４．前記ＰｒｏＳｅサービスが前記他のＰＬＭＮにおいて実行される無線リソースについての情報を前記ｅＮＢに送信するステップであって、前記無線リソースについての前記情報は前記第２の期間において前記無線リソースに対応する時間窓を含み、前記無線リソースについての前記情報は、前記ｅＮＢに、前記時間窓において前記共有セルにおける前記他のＰＬＭＮの前記ＵＥをスケジュールしないように命令するように構成される、ステップと、をさらに含む、請求項６に記載の方法。
【発明の詳細な説明】
【技術分野】
【０００１】
本開示は、通信システムに関し、詳細には、通信システムにおける近傍サービス（ＰｒｏＳｅ：Ｐｒｏｘｉｍｉｔｙ−ｂａｓｅｄ  Ｓｅｒｖｉｃｅ）サービスを制御する方法および装置に関する。
【背景技術】
【０００２】
ＬＴＥシステムへの近傍サービス（ＰｒｏＳｅ）の導入が承認されている。現在、ＲＡＮ１／２によって、デバイス間（Ｄ２Ｄ）発見および通信の大きな進展が達成されている。
【０００３】
合意したＲ２−１４１８５９に従って、直接通信がＰｒｏＳｅ対応ユーザ機器（ＵＥ）に必要とされる場合、以下の２つのモードでリソースが割り当て可能である。
【０００４】
モード１において、ｅＮＢはリソース割り当てをスケジュールする。
−  ＵＥは接続された状態（ＲＲＣ＿ＣＯＮＮＥＣＴＥＤ）でデータを伝送することになる。
−  ＵＥはｅＮＢに伝送リソースを要求する。ｅＮＢは、スケジューリング割り当て（ＳＡ）およびデータを伝送するためにＵＥに対する伝送リソースをスケジュールする。
【０００５】
ＵＥは、ｅＮＢにスケジューリング要求を（Ｄ−ＳＲを使用してまたはランダム・アクセスで）送信後、バッファ状態報告（ＢＳＲ）を送信する。ＢＳＲに基づいて、ｅＮＢは、ＵＥがＰｒｏＳｅ直接通信で伝送されるある程度のデータを有すると判断し、かつ、伝送に必要とされるリソースを推定することができる。
【０００６】
モード２において、ＵＥ自体がリソースを選択する。
−  スケジューリング割り当ておよびデータを伝送するためにリソースのプールからリソースをＵＥ自体が選択する。
【０００７】
デバイス間の直接通信について、ＵＥがセルによってサービングされる（すなわち、ＵＥがＲＲＣ接続状態（ＲＲＣ＿ＣＯＮＮＥＣＴＥＤ）かＲＲＣアイドル状態（ＲＲＣ＿ＩＤＬＥ）にある）が、（システム・メッセージを受信するために、ページング・メッセージを受信するためになど）通常はセル上にとどまることができる場合、ＵＥは「カバレッジ・エリアにある（カバレッジにある）」と見なされることになり、以下の規則がＵＥに対して適用されることになる。
＊ＵＥは、カバレッジ・エリア外にある場合、モード２で動作することのみが可能である。
＊ＵＥは、カバレッジ・エリア内にあり、かつ、それに応じてｅＮＢによって構成される場合、モード１で動作することができる。
＊ＵＥは、カバレッジ・エリア内にあり、かつ、それに応じてｅＮＢによって構成される場合、モード２で動作することができる。
＊ＵＥは、カバレッジ・エリア内にある場合、例外的なケースが生じない限り、ｅＮＢによって構成される、指示されたモードでのみ動作でき、例外的なケースが生じる場合、ＵＥがモード１で動作するように構成されていたとしても、ＵＥは一時的にモード２で動作することが可能とされてよい。
【０００８】
ＰｒｏＳｅ対応ＵＥが直接発見を行う必要がある場合、リソースは以下の２つのタイプで割り当て可能である。
【０００９】
タイプ１では、発見情報を通知するためのリソースはＵＥ別リソースとして割り当てられることはない。
＊ｅＮＢはＵＥにリソースの構成されたプールを与えて、ＳＩＢ信号方式によってその構成されたプールを送信することによって発見情報を通知する。
＊ＵＥ自体は、リソースの指示されたプールから無線リソースを選択し、発見情報を通知する。
【００１０】
タイプ２では、発見情報を通知するためのリソースはＵＥ別リソースとして割り当てられることはない。
＊ＲＲＣ接続状態におけるＵＥは、ｅＮＢに、発見情報を通知するためのリソースをＲＲＣによって要求する。
＊ｅＮＢはＲＲＣによってリソースを割り当てる。
【００１１】
実際、現在のネットワークは、共有ネットワークであるが、ＵＥは、共有ネットワークにおいて、固有の地上波公共移動通信ネットワーク（ＰＬＭＮ）においてＰｒｏＳｅサービスを実行する権限のみを与えられている場合があるため、共有ネットワークには規則は適用できないことになるが、これは、それら規則が、固有のＰＬＭＮにおける権限を与えられていないＵＥに、共有セルにおける別のＰＬＭＡＮにおいて権限を与えられたＰｒｏＳｅサービスを実行させることができるからである。
【００１２】
その上、ＵＥは、ネットワークにアクセスして、モード１での直接通信およびタイプ２での直接発見のためのリソースを割り当てるように要求しなければならない。ＵＥは、ネットワークにアクセスして、ＰｒｏＳｅサービスを実行する前に権限付与情報を得なければならない。これによって、多くのＵＥがＰｒｏＳｅサービスを同時に実行することが見込まれている場合、ネットワークの負荷がかなり増加する場合がある。今まで、ＰｒｏＳｅサービスを実行するいずれのＵＥも現在のネットワークにおいてネットワークへのアクセスに対して禁止されることはない。既存のアクセス制御機構が実施される場合、通常のＵＥは通常のサービスを実行することを妨げられることになる。
【発明の概要】
【発明が解決しようとする課題】
【００１３】
このことを考慮して、ＰｒｏＳｅサービスを制御する解決策を提供することが望ましい。
【００１４】
本発明の概念は、第１のＰＬＭＮ識別子、および別のＰＬＭＮの少なくとも１つの搬送波周波数についての情報が、共有セルにおいて、共有セルのＵＥに送信されるため、他のＰＬＭＮのＵＥは、搬送波周波数についての情報によって指示される搬送波周波数で、ＰｒｏＳｅサービスを、セルに対して再選択するかハンドオーバーされることで、共有セル内で同時に実行されているＰｒｏＳｅサービスが多すぎることから生じる過負荷の問題を回避することによって、実行できる。
【課題を解決するための手段】
【００１５】
本発明の第１の態様によると、通信システムのｅＮＢにおけるＰｒｏＳｅサービスを制御する方法であって、Ａ．共有セルにおいて、第１のＰＬＭＮ識別子を共有セルのＵＥに送信するステップであって、第１のＰＬＭＮ識別子は、第１のＰＬＭＮのＵＥが、ｅＮＢによって制御されており第１のＰＬＭＮおよび他のＰＬＭＮによって共有される共有セルにおいてＰｒｏＳｅサービスを実行することができることを指示する、ステップを含む方法が提供される。
【００１６】
本発明のある実施形態によると、ステップＡの後、方法は、Ｂ．共有セルにおいて、他のＰＬＭＮの少なくとも１つの搬送波周波数についての情報を共有セルのＵＥに送信するステップであって、少なくとも１つの搬送波周波数についての情報は、他のＰＬＭＮのＵＥがＰｒｏＳｅサービスを実行することができる少なくとも１つの搬送波周波数を指示する、ステップと、Ｃ．他のＰＬＭＮのＵＥが他のＰＬＭＮにおけるＰｒｏＳｅサービスを実行しようとする場合、他のＰＬＭＮのＵＥが接続状態にあるかどうかを判断し、接続状態にある場合、ハンドオーバー手順を開始するステップと、をさらに含む。
【００１７】
本発明のある実施形態によると、ステップＣの後、方法は、Ｄ１．ハンドオーバー手順が失敗する場合、ＲＲＣ接続解放命令を他のＰＬＭＮのＵＥに送信して、他のＰＬＭＮのＵＥに、ｅＮＢとのＲＲＣ接続を解放してアイドル状態に入るように命令するステップをさらに含む。
【００１８】
本発明のある実施形態によると、ステップＣの後、方法は、Ｄ２．ハンドオーバー手順が失敗する場合、解放接続要求を他のＰＬＭＮのＵＥから受信し、受信された解放接続要求に応答して、ＲＲＣ接続解放命令を他のＰＬＭＮのＵＥに送信して、他のＰＬＭＮのＵＥに、ｅＮＢとのＲＲＣ接続を解放してアイドル状態に入るように命令するステップをさらに含む。
【００１９】
本発明のある実施形態によると、ステップＣの後、方法は、Ｄ３．ハンドオーバー手順が失敗する場合、ＤＲＸ構成情報を他のＰＬＭＮのＵＥに送信するステップであって、ＤＲＸ構成情報は、他のＰＬＭＮのＵＥがＰｒｏＳｅサービスを実行するスリープ時間を指示する、ステップをさらに含む。
【００２０】
本発明のある実施形態によると、ステップＡの後、方法は、Ｈ．第１のＰＬＭＮに対応する、ＰｒｏＳｅサービスが共有セルにおいて実行される第１の期間をＵＥに送信するステップと、Ｌ．他のＰＬＭＮ識別子、および、他のＰＬＭＮ識別子に対応する、ＰｒｏＳｅサービスが共有セルにおいて実行される第２の期間をＵＥに送信するステップと、Ｄ４．他のＰＬＭＮにおけるＰｒｏＳｅサービスを実行するための無線リソースについての情報を他のＰＬＭＮのＵＥから受信するステップであって、無線リソースについての情報は無線リソースに対応する時間窓を含み、時間窓は第２の期間に位置するステップと、をさらに含む。
【００２１】
本発明のある実施形態によると、ステップＤ４の後、方法は、Ｄ４１．他のＰＬＭＮのＵＥが時間窓において共有セル内でスケジューリングされないようにするステップをさらに含む。
【００２２】
本発明のある実施形態によると、ハンドオーバー手順において、デスティネーションｅＮＢに送信された切り換え要求メッセージは、ＰｒｏＳｅサービス情報および／またはＰｒｏＳｅサービスについてのバッファ状態報告を含む。
【００２３】
本発明の第２の態様によると、通信システムのＵＥにおけるＰｒｏＳｅサービスを制御する方法であって、ａ．第１のＰＬＭＮ識別子を共有セルのｅＮＢから受信するステップであって、第１のＰＬＭＮ識別子は、第１のＰＬＭＮのＵＥが、ｅＮＢによって制御されており第１のＰＬＭＮおよび他のＰＬＭＮによって共有される共有セルにおいてＰｒｏＳｅサービスを実行できることを指示する、ステップを含む方法が提供される。
【００２４】
本発明のある実施形態によると、ステップａの後、方法は、ｂ．他のＰＬＭＮの少なくとも１つの搬送波周波数についての情報をｅＮＢから受信するステップであって、少なくとも１つの搬送波周波数についての情報は、他のＰＬＭＮのＵＥがＰｒｏＳｅサービスを実行することができる少なくとも１つの搬送波周波数を指示する、ステップと、ｃ．他のＰＬＭＮのＵＥが他のＰＬＭＮにおけるＰｒｏＳｅサービスを実行しようとしかつアイドル状態にある場合、セルを再選択する、または、他のＰＬＭＮのＵＥが他のＰＬＭＮにおけるＰｒｏＳｅサービスを実行しようとしかつ接続状態にある場合、ＰｒｏＳｅサービスを実行する意図のインジケータをｅＮＢに送信するステップと、をさらに含む。
【００２５】
本発明のある実施形態によると、ステップｃの後、方法は、ｄ０．ハンドオーバーが成功する場合、他のＰＬＭＮのＵＥを、ＰｒｏＳｅサービスを実行するための適切なセルに切り換えてＰｒｏＳｅサービスを実行するステップをさらに含む。
【００２６】
本発明のある実施形態によると、ステップｃの後、方法は、ｄ１．他のＰＬＭＮのＵＥが、ＰｒｏＳｅサービスを実行する意図のインジケータをｅＮＢに送信した後、ある期間において共有セルから別のセルにハンドオーバーされなかった場合、ｅＮＢからＲＲＣ接続解放命令を受信し、ｅＮＢとのＲＲＣ接続を解放し、ＲＲＣ接続解放命令に応答してアイドル状態に入るステップをさらに含む。
【００２７】
本発明のある実施形態によると、ステップｃの後、方法は、ｄ２．他のＰＬＭＮのＵＥが、ＰｒｏＳｅサービスを実行する意図のインジケータをｅＮＢに送信した後、ある期間において共有セルから別のセルにハンドオーバーされなかった場合、ｅＮＢからの受信されたＲＲＣ接続解放命令に応答して、ｅＮＢにＲＲＣ接続解放要求を送信し、ｅＮＢとのＲＲＣ接続を解放し、アイドル状態に入るステップをさらに含む。
【００２８】
本発明のある実施形態によると、方法は、ｅ．他のＰＬＭＮのＵＥがアイドル状態にある場合、他のＰＬＭＮのＵＥによって少なくとも１つの搬送波周波数におけるセルを優先的に選択し、ＰＬＭＮを選択し、ＰｒｏＳｅサービスを実行するために少なくとも１つの搬送波周波数においてＰｒｏＳｅサービスを実行するための適切なセルを再選択するステップをさらに含む。
【００２９】
本発明のある実施形態によると、ステップｃの後、方法は、ｄ３．他のＰＬＭＮのＵＥが、ＰｒｏＳｅサービスを実行する意図のインジケータをｅＮＢに送信した後、ある期間において共有セルから別のセルにハンドオーバーされなかった場合、ＤＲＸ構成情報をｅＮＢから受信するステップであって、ＤＲＸ構成情報は、他のＰＬＭＮのＵＥがＰｒｏＳｅサービスを実行するスリープ時間を含む、ステップをさらに含む。
【００３０】
本発明のある実施形態によると、ステップｄ３の後、方法は、ｄ３１．ＤＲＸ構成情報、および少なくとも１つの搬送波周波数についての情報に従って、ＤＲＸスリープ時間における少なくとも１つの搬送波周波数においてＰｒｏＳｅサービスを実行するステップをさらに含む。
【００３１】
本発明のある実施形態によると、ステップａの後、方法は、ｈ．第１のＰＬＭＮに対応する、ＰｒｏＳｅサービスが共有セルにおいて実行される第１の期間をｅＮＢから受信するステップと、ｌ．他のＰＬＭＮ識別子、および、他のＰＬＭＮ識別子に対応する、ＰｒｏＳｅサービスが共有セルにおいて実行される第２の期間をｅＮＢから受信するステップと、ｄ４．ＰｒｏＳｅサービスが他のＰＬＭＮにおいて実行される無線リソースについての情報をｅＮＢに送信するステップであって、無線リソースについての情報は第２の期間において無線リソースに対応する時間窓を含み、無線リソースについての情報は、ｅＮＢに、時間窓において共有セルにおける他のＰＬＭＮのＵＥをスケジュールしないように命令するように構成される、ステップと、をさらに含む。
【００３２】
本発明の第３の態様によると、通信システムのＵＥにおけるＰｒｏＳｅサービスを制御する方法であって、Ｓ７１．ＰｒｏＳｅサービスを実行するためのアクセス・クラス禁止情報を、第１のＰＬＭＮにおいてＰｒｏＳｅサービスを実行する権限を与えられたＵＥに送信するステップと、Ｓ７３１．ＵＥとのＲＲＣ接続の確立後、ＰｒｏＳｅサービスを実行するための無線リソースについての要求をＵＥから受信するステップと、Ｓ７４．ＰｒｏＳｅサービスを実行するための無線リソースについてのＵＥからの要求に応答して、ＰｒｏＳｅサービスを実行するための無線リソースについての情報をＵＥに送信するステップであって、無線リソースについての情報は無線リソースに対応する時間窓を含む、ステップと、を含む方法が提供される。
【００３３】
本発明のある実施形態によると、アクセス・クラス禁止情報は、ＰＬＭＮ固有である、または共有セルのＰＬＭＮの全てに対して適用可能である。
【００３４】
本発明のある実施形態によると、アクセス・クラス禁止情報は、ＰｒｏＳｅ発見禁止情報および／またはＰｒｏＳｅ通信禁止情報を含む。
【００３５】
本発明のある実施形態によると、アクセス・クラス禁止情報は、アクセス・クラス禁止情報が適用可能であるＰＬＭＮを指示するＰＬＭＮ識別子情報をさらに含む。
【００３６】
本発明の第４の態様によると、通信システムのＵＥにおけるＰｒｏＳｅサービスを制御する方法であって、Ｓ７２．ｅＮＢから、第１のＰＬＭＮにおいてＰｒｏＳｅサービスを実行するためのアクセス・クラス禁止情報に従ってアクセス決定を行い、決定が成功する場合、ｅＮＢとのＲＲＣ接続をセットアップするためにＲＲＣ接続要求をｅＮＢに送信するステップであって、ＵＥは第１のＰＬＭＮにおいてＰｒｏＳｅサービスを実行する権限を与えられているステップと、Ｓ７３．ＰｒｏＳｅサービスを実行するための無線リソースについての要求をｅＮＢに送信するステップと、Ｓ７５．ｅＮＢから、ＰｒｏＳｅサービスを実行するための無線リソースについての情報における無線リソースに対応する時間窓においてＰｒｏＳｅサービスを実行するステップと、を含む方法が提供される。
【００３７】
本発明の第５の態様によると、通信システムのｅＮＢにおけるＰｒｏＳｅサービスを制御するための装置であって、ＰｒｏＳｅサービスを実行するためのアクセス・クラス禁止情報を第１のＰＬＭＮにおいてＰｒｏＳｅサービスを実行する権限を与えられたＵＥに送信するように構成される第１の送信ユニットであって、アクセス・クラス禁止情報は、ＰＬＭＮ固有である、または共有セルのＰＬＭＮの全てに対して適用可能である、第１の送信ユニットと、ＰｒｏＳｅサービスを実行するための無線リソースについての要求をＵＥから受信するように構成される受信ユニットと、ＰｒｏＳｅサービスを実行するための無線リソースについての情報を、ＰｒｏＳｅサービスを実行するための無線リソースについてのＵＥからの要求に応答してＵＥに送信するように構成される第２の送信ユニットであって、無線リソースについての情報は無線リソースに対応する時間窓を含む、第２の送信ユニットと、を含む装置が提供される。
【００３８】
本発明の第６の態様によると、通信システムのＵＥにおけるＰｒｏＳｅサービスを制御するための装置であって、ｅＮＢから、第１のＰＬＭＮにおいてＰｒｏＳｅサービスを実行するためのアクセス・クラス禁止情報に従ってアクセス決定を行い、決定が成功する場合、ｅＮＢとのＲＲＣ接続をセットアップするためにＲＲＣ接続要求をｅＮＢに送信するように構成される決定ユニットであって、ＵＥは第１のＰＬＭＮにおいてＰｒｏＳｅサービスを実行する権限を与えられている、決定ユニットと、ＰｒｏＳｅサービスを実行するための無線リソースについての要求をｅＮＢに送信するように構成される第３の送信ユニットと、ｅＮＢから、ＰｒｏＳｅサービスを実行するための無線リソースについての情報における無線リソースに対応する時間窓においてＰｒｏＳｅサービスを実行するように構成されるサービス実行ユニットと、を含む装置が提供される。
【００３９】
本発明のそれぞれの態様は、これらの特定の実施形態の以下の説明からより明らかとなろう。
【００４０】
本発明の他の特徴、目的、および利点は、図面を参照してこの非限定的な実施形態の詳細な説明を読むことでより明らかとなろう。
【図面の簡単な説明】
【００４１】
【図１】本発明のある実施形態による、ＰｒｏＳｅサービスを制御する方法のフローチャートである。
【図２】本発明の別の実施形態による、ＰｒｏＳｅサービスを制御する方法のフローチャートである。
【図３】図２におけるＤＲＸの期間の概略図である。
【図４】図１および図２におけるハンドオーバー手順のフローチャートである。
【図５】種々のＰＬＭＮにおいてＰｒｏＳｅサービスを実行するために割り当てられるリソースの概略図である。
【図６】本発明のさらなる実施形態によるＰｒｏＳｅサービスを制御する方法のフローチャートである。
【図７】本発明のある実施形態によるアクセス禁止方法のフローチャートである。
【図８】通信システムのｅＮＢにおけるＰｒｏＳｅサービスを制御するためのデバイスの概略図である。
【図９】通信システムのＵＥにおけるＰｒｏＳｅサービスを制御するためのデバイスの概略図である。
【発明を実施するための形態】
【００４２】
同一または同様の参照符号は、図面全体を通して同一または対応する構成要素もしくは特徴を示す。
【００４３】
好ましい実施形態の以下の詳細な説明において、本発明の一部を構成する図面を参照する。図面は、本発明が具現化できる特定の実施形態を例示的に示す。例示の実施形態は本発明の実施形態全てを究明することを意図したものではない。本発明における方法のステップは特定の順序で説明されるが、このことは、これらの動作が特定の順序で行われること、または、示される動作全てが所望の結果をもたらすために行われるべきであることを必要とせずまたは示唆せず、対照的に、この文脈で記載されるステップは代替的な順序で行われる可能性があることに留意すべきである。追加としてまたは代替的に、ステップの一部は省略可能であり、ステップのうちの２つ以上は１つのステップに組み込み可能である、および／または、ステップのうちの１つは２つ以上のステップに分解可能である。
【００４４】
共有セルでは、ＰｒｏＳｅサービスのための無線リソースはＰＬＭＮに固有に割り当てられることになる。セルが複数のＰＬＭＮによって共有可能である場合、セルは共有セルと呼ばれることになる。当業者であれば理解できるが、本発明におけるＰｒｏＳｅサービスは、ＰｒｏＳｅ直接通信とすることができる、またはＰｒｏＳｅ直接発見とすることができる、またはＰｒｏＳｅ直接発見およびＰｒｏＳｅ直接通信両方、または、デバイス間通信に関連した任意の他のアクセスもしくは通信とすることができる。
【００４５】
ＰｒｏＳｅ直接発見について、システム情報ブロック（ＳＩＢ）は、固有のＰＬＭＮに関連付けられたタイプ１において直接発見のためのリソースの構成されたプールを指示する、および／または、ＳＩＢは、固有のＰＬＭＮに関連付けられたタイプ２における直接発見を実行させることができるかどうかを指示する。
【００４６】
ＰｒｏＳｅ直接通信について、ＳＩＢは、固有のＰＬＭＮに関連付けられたモード１において直接通信を可能にするかどうかを指示する。
【００４７】
タイプ１における直接発見をサポートするＵＥについて、ＵＥが共有セル上にとどまる時、共有セルのＳＩＢが固有のＰＬＭＮに関連付けられたタイプ１における直接発見のためリソースの構成されたプールを指示する場合、これらのＰＬＭＮにおけるＰｒｏＳｅ直接発見を通知する権限を与えられたＵＥは、これらのリソース上で（直接発見の）発見情報を通知することができる。タイプ２における直接発見をサポートするＵＥについて、ＵＥが共有セル上にとどまる時、固有のＰＬＭＮに関連付けられたタイプ２における直接発見が実行可能とされることを共有セルのＳＩＢが指示する場合、これらのＰＬＭＮにおけるＰｒｏＳｅ直接発見を通知する権限を与えられたＵＥは、発見情報を通知するためのリソースを割り当てるように共有セルに要求することができ、その他の場合、ＵＥは発見を通知可能とされないことになる。例えば、ＵＥは、ＰｒｏＳｅ直接発見を通知する権限を与えられていない、または、別のＰＬＭＮにおいてＰｒｏＳｅ直接発見を通知する権限を与えられている場合、現時点の共有セルにおいて（タイプ１またはタイプ２における）発見を通知できない。
【００４８】
タイプ１における直接通信をサポートするＵＥについて、ＵＥが共有セル上にとどまる時、固有のＰＬＭＮに関連付けられた直接通信が可能とされることを共有セルのＳＩＢが指示する場合、これらのＰＬＭＮにおいてＰｒｏＳｅ直接通信を実行する権限を与えられたＵＥは、共有セルに直接通信のための伝送リソースを要求することができ、その他の場合、ＵＥは直接通信が可能とされないことになる。例えば、ＵＥがＰｒｏＳｅ直接通信を実行する権限を与えられていない、または、別のＰＬＭＮにおいて直接通信を実行する権限を与えられている場合、ＵＥは、共有セルのｅＮＢから直接通信のための伝送リソースを得ることはできない、または、共有セルのｅＮＢに直接通信のための伝送リソースを要求することができない。
【００４９】
非共有セルにおいて、ただ一つのＰＬＭＮの識別子は、ＳＩＢ１においてブロードキャストされ、（ＳＩＢ１以外に新たに定義されたＳＩＢにおける）ＰｒｏＳｅサービスのための構成された無線リソースは、ＰＬＭＮによって割り当てられる。この時、ＰｒｏＳｅサービスのための構成された無線リソースが、非共有セルの任意の構成がＰＬＭＮに適用可能となるためＰＬＭＮに関連付けられることをＳＩＢ（新たに定義されたＳＩＢにおける）は、別個に指示することはないことに留意すべきである。
【００５０】
共有セルにおいて、複数のＰＬＭＮの識別子はＳＩＢ１においてブロードキャストされ、ＰｒｏＳｅサービスのための無線リソースは、ＰＬＭＮにはＰｒｏＳｅサービスのための構成された無線リソースが与えられることを指示することによって割り当てられることになる。
【００５１】
固有のＰＬＭＮに対してＰｒｏＳｅサービスを実行するための無線リソースを割り当てるために、図１は、本発明のある実施形態による、ＰｒｏＳｅサービスを制御する方法のフローチャートを示す。
【００５２】
図１を参照すると、ステップＡにおいて最初に、ｅＮＢ１１０は共有セルにおいて第１のＰＬＭＮ識別子を共有セルのＵＥに送信する。この場合、第１のＰＬＭＮ識別子は、第１のＰＬＭＮのＵＥがｅＮＢによって制御された、第１のＰＬＭＮおよび別のＰＬＭＮによって共有される共有セルにおいてＰｒｏＳｅサービスを実行できることを指示する。留意されるべきであるが、ＰｒｏＳｅサービスを実行するＵＥは典型的には、権限を与えられる必要があるが権限を与えられたＵＥに限定されることはなく、しかしながら、本発明の技術的解決策は、上記のように、第１のＰＬＭＮのＵＥが共有セルにおいてＰｒｏＳｅサービスを実行することができる本発明の実施形態において権限を与えられたＵＥを例として挙げて示されることになり、このことは、第１のＰＬＭＮにおいて権限を与えられたＵＥが共有セルにおいてＰｒｏＳｅサービスを実行できることを意味する。
【００５３】
当業者であれば理解することだが、ｅＮＢ１１０は（ＳＢＩ１以外の）ＳＩＢ、例えば、直接発見が実行されることを可能にするかどうか、および／または、直接通信が実行されることを可能にするかどうかを含むＰｒｏＳｅサービスのための割り当てられた無線リソース、および対応する構成されたリソースを指示するための新たに定義されたＳＩＢにおける第１のＰＬＭＮ識別子を共有セルのＵＥに送信することができる。ここで、新たに定義されたＳＩＢは、ＰｒｏＳｅサービスのための構成された無線リソースが第１のＰＬＭＮに関連付けられ、特に、ＳＩＢは第１のＰＬＭＮ識別子を含むことを別個に指示する。共有セルによって構成されるＰｒｏＳｅサービスのための割り当てられた無線リソース（ＳＩＢ１は、第１のＰＬＭＮが主要ＰＬＭＮである場合の、第１のＰＬＭＮおよび他のＰＬＭＮを指示する）が主要ＰＬＭＮのみに利用可能である場合、新たに追加されたＳＩＢは、ＰｒｏＳｅサービスのための構成された無線リソースが主要ＰＬＭＮに関連付けられることを指示することはないが、これは、ＳＩＢにおいて構成されたＰｒｏＳｅサービスのための割り当てられた無線リソースがプロトコルにおいて規定されるように主要ＰＬＭＮにのみ利用可能となるからである。
【００５４】
ステップＢでは、ｅＮＢ１１０は、例えば、少なくとも１つの搬送波周波数についての情報が、他のＰＬＭＮのＵＥがＰｒｏＳｅサービスを実行できる少なくとも１つの搬送波周波数を指示するＳＩＢにおいて、共有セルで、他のＰＬＭＮの少なくとも１つの搬送波周波数についての情報を共有セルのＵＥに送信する。
【００５５】
当業者であれば理解すべきことだが、共有セルのＳＩＢ１は（主要ＰＬＭＮに限定されない）少なくとも１つの第１のＰＬＭＮおよび少なくとも別のＰＬＭＮを示す。例えば、共有セルには１つの第１のＰＬＭＮおよび別のＰＬＭＮがあり、ｅＮＢ１１０は、共有セルにおいて、第１のＰＬＭＮ識別子を共有セルのＵＥに送信するため、第１のＰＬＭＮの権限を与えられたＵＥは、共有セルにおいてＰｒｏＳｅサービスを実行することを可能とされ、（共有セルのカバレッジ・エリアにおける）他のＰＬＭＮの権限を与えられたＵＥ１２０は共有セルにおいてＰｒｏＳｅサービスを実行することを可能とされない。他のＰＬＭＮの権限を与えられたＵＥ１２０がＰｒｏＳｅサービスを実行しようとする場合、その搬送波周波数で、ＰＬＭＮの権限を与えられたＵＥがＰｒｏＳｅサービスを提供され得ることを知るものとする。
【００５６】
ステップＣでは、他のＰＬＭＮの権限を与えられたＵＥ１２０が他のＰＬＭＮにおいてＰｒｏＳｅサービスを実行しようとし、かつ、アイドル状態にある場合、ＵＥはセルを再選択することになり（ＵＥによって現時点で選択されたＰＬＭＮが、ＵＥがＰｒｏＳｅサービスを実行する権限を与えられているＰＬＭＮでない場合の、ＰＬＭＮを選択することを含む）、他のＰＬＭＮのＵＥ１２０が他のＰＬＭＮにおいてＰｒｏＳｅサービスを実行しようとし、かつ、ＲＲＣ接続状態である場合、ＵＥは、ＰｒｏＳｅサービスを実行する意図のインジケータをｅＮＢ１１０に送信することになる。
【００５７】
ｅＮＢ１１０は、ＰｒｏＳｅサービスを実行するために、他のＰＬＭＮの権限を与えられたＵＥ１２０によって選択された適切なセルに対するハンドオーバーを行う。ハンドオーバーが成功する場合、他のＰＬＭＮの権限を与えられたＵＥ１２０は、ＰｒｏＳｅサービスを実行するために共有セルから適切なセルへのハンドオーバーを行うことになる。
【００５８】
ステップＤ１では、ハンドオーバーが失敗する場合、ｅＮＢ１１０は、ＲＲＣ接続解放命令を他のＰＬＭＮのＵＥ１２０に送信して、他のＰＬＭＮの権限を与えられたＵＥに、ｅＮＢとのＲＲＣ接続を解放してアイドル状態に入るように命令する。他のＰＬＭＮの権限を与えられたＵＥ１２０が、ＰｒｏＳｅサービスを実行する意図のインジケータをｅＮＢに送信した後、ある期間においてＰｒｏＳｅサービスを実行するために共有セルから別の適切なセルへハンドオーバーされていない、つまり、ハンドオーバー手順が失敗する場合、他のＰＬＭＮの権限を与えられたＵＥ１２０はｅＮＢ１１０からＲＲＣ接続解放命令を受信し、ＲＲＣ接続解放命令に応答して、ｅＮＢ１１０とのＲＲＣ接続を解放し、かつ、アイドル状態に入ることになる。
【００５９】
オプションとして、ＵＥ１２０が、ＰｒｏＳｅサービスを実行する意図のインジケータをｅＮＢに送信した後ある期間（例えば、既定の１秒）においてＰｒｏＳｅサービスを実行するために共有セルから別の適切なセルにハンドオーバーされていない、つまり、ハンドオーバー手順が失敗する場合、ステップＤ２において、他のＰＬＭＮの権限を与えられたＵＥ１２０は、代替的には、例えば、非アクセス層（ＮＡＳ）を通して解放接続要求をｅＮＢ１１０に送信することができ、ｅＮＢ１１０は、解放接続要求を他のＰＬＭＮのＵＥから受信し、（ｅＮＢ１１０がコア・ネットワークと相互作用するものとし、それによって、コア・ネットワークは解放信号方式をｅＮＢ１１０に送信することになる場合）受信された解放接続要求に応答して、ＲＲＣ接続解放命令を他のＰＬＭＮの権限を与えられたＵＥ１２０に送信して、他のＰＬＭＮの権限を与えられたＵＥ１２０に、ｅＮＢ１１０とのＲＲＣ接続を解放してアイドル状態に入るように命令することになる。
【００６０】
オプションとして、図２に示されるように、本発明の別の実施形態によると、ステップＤ３では、ハンドオーバーが失敗する場合、ｅＮＢ１１０はＤＲＸ構成情報を他のＰＬＭＮの権限を与えられたＵＥに送信することになる。この場合、ＤＲＸ構成情報は、他のＰＬＭＮの権限を与えられたＵＥ１２０がＰｒｏＳｅサービスを実行するスリープ時間を示す。他のＰＬＭＮの権限を与えられたＵＥ１２０が、ＰｒｏＳｅサービスを実行する意図のインジケータをｅＮＢ１１０に送信した後、ある期間において共有セルから他のセルにハンドオーバーされていない、つまり、ハンドオーバー手順が失敗する場合、他のＰＬＭＮの権限を与えられたＵＥ１２０はｅＮＢ１１０からＤＲＸ構成情報を受信し、かつ、ＤＲＸ構成情報、およびステップＢにおける少なくとも１つの搬送波周波数についての情報に従って、ＤＲＸスリープ時間において少なくとも１つの搬送波周波数でＰｒｏＳｅサービスを実行することになる。
【００６１】
本発明にあるようなハンドオーバーの失敗は、ＵＥが、他のＰＬＭＮの任意の搬送波周波数でＰｒｏＳｅサービスを実行するために適切にハンドオーバーできないことに言及し、また、ハンドオーバー手順におけるハンドオーバー要求の失敗に言及する。
【００６２】
図３に示されるように、共有セルのｅＮＢは、他のＰＬＭＮの権限を与えられたＵＥに対してＤＲＸ期間を構成することができる。例えば、ＤＲＸ期間は、７８ｍｓのＤＲＸスリープ時間および５０ｍｓのＤＲＸアクティブ期間を含む１２８ｍｓである。ｅＮＢは、ＲＲＣ信号方式を介してＤＲＸ期間によって他のＰＬＭＮの権限を与えられたＵＥを構成することができる。ＵＥは、共有セルにおいて、かつ、アクティブ期間における共有セルの制御ｅＮＢで、通信サービスを実行することができ、ＵＥは、スリープ時間においてステップＢにおいて指示される搬送波周波数でＰｒｏＳｅサービスを実行することができる。ＵＥは、推奨されるＤＲＸ構成パラメータを共有セルの制御ｅＮＢに送信することもでき（この場合、ＵＥは、ステップＢにおいて指示される搬送波周波数でＰｒｏＳｅサービスを実行するために必要とされる期間に従って適切なＤＲＸ構成パラメータをｅＮＢに推奨する）、共有セルの制御ｅＮＢは、ＵＥに対して推奨されるＤＲＸ構成パラメータを修正することもできる。
【００６３】
ステップｅでは、他のＰＬＭＮの権限を与えられたＵＥ１２０がアイドル状態にある場合、他のＰＬＭＮの権限を与えられたＵＥ１２０は、少なくとも１つの搬送波周波数におけるセルを優先的に選択し、ＰＬＭＮを選択し、ＰｒｏＳｅサービスを実行するために少なくとも１つの搬送波周波数においてＰｒｏＳｅサービスを実行するための適切なセルを再選択することになる。このプロセスでは、ＵＥ１２０は、ステップＢにおいて指示される搬送波全てが最優先であると判断する。
【００６４】
図４は、図１および図２におけるハンドオーバー手順のフローチャートを示す。この場合、ステップＳ４０では、モビリティ管理エンティティ（ＭＭＥ）４４０は、（例えば、初期コンテキスト・セットアップ要求において）ＵＥ４１０のコンテキスト情報をサービングｅＮＢ４２０に送信する。典型的には、ＵＥ４１０のコンテキスト情報は、１つまたは複数のＰＬＭＮにおいてＰｒｏＳｅサービスを実行するためにＵＥに対する権限付与情報を含む。例えば、本発明のある実施形態において、ＵＥ４１０のコンテキスト情報は他のＰＬＭＮにおけるＵＥ４１０の権限付与情報を含む。現時点のＰＬＭＮは、ＲＲＣ接続セットアップ完了メッセージにおいてＵＥ４１０によって報告されるＰＬＭＮ、例えば第１のＰＬＭＮである。
【００６５】
ステップＳ４１では、ＵＥ４１０が他のＰＬＭＮにおいてＰｒｏＳｅサービスを実行しようとする場合、ＵＥ４１０は、ＰｒｏＳｅサービスについてのバッファ状態報告（ＢＳＲ）をサービングｅＮＢ４２０に送信することになる。
【００６６】
ステップＳ４２では、サービングｅＮＢ４２０は、ＵＥ４１０がＰｒｏＳｅサービスを実行する権限を与えられているかどうかをチェックすることになる。ＵＥ４１０が他のＰＬＭＮにおいて権限を与えられていることをサービングｅＮＢ４２０が検出するが、現時点のセルがＰｒｏＳｅサービスを実行するためにＰＬＭＮ１の権限を与えられたＵＥのみをサービングする場合、サービングｅＮＢ４２０は、ステップＢにおいて指示される搬送波周波数に対してＵＥ４１０をハンドオーバーするように決定し、それによって、ＵＥ４１０はＰｒｏＳｅサービスを実行することができる。サービングｅＮＢ４２０は、ステップＢにおいて指示される搬送波周波数についての測定パラメータによってＵＥ４１０を構成することができることで、ＵＥ４１０は、ハンドオーバーのために、ステップＢに指示される搬送波周波数で候補セルを測定しかつ報告することになる。
【００６７】
ステップＳ４３において、サービングｅＮＢ４２０が適切なセルをステップＢにおいて指示される搬送波周波数で位置付けることができる場合、サービングｅＮＢ４２０はハンドオーバー要求をＵＥ４１０のデスティネーションｅＮＢ４３０に送信することになる。この場合、ハンドオーバー要求は、ＰｒｏＳｅ関連情報、例えば、ＰｒｏＳｅサービスのＢＳＲを含むこともでき、それによって、デスティネーションｅＮＢ４２０は、ＵＥ４１０がＰｒｏＳｅ直接通信を実行しようとすることを知ることになる。このケースでは、ＵＥ４１０がＰｒｏＳｅ直接通信を実行する権限を与えられている場合、デスティネーションｅＮＢ４３０は、ハンドオーバー応答においてＰｒｏＳｅ直接通信のためのリソースを割り当てることもできる。よって、ＵＥ４１０は、ハンドオーバー後、ＰｒｏＳｅサービスのＢＳＲをデスティネーションｅＮＢ４３０にさらに報告することはない。
【００６８】
ステップＳ４４では、デスティネーションｅＮＢ４３０がハンドオーバーを可能にする場合、デスティネーションｅＮＢ４３０はハンドオーバー確認をサービングｅＮＢ４２０に送信することになる。
【００６９】
ステップＳ４４Ａにおいて、デスティネーションｅＮＢ４３０がハンドオーバーを可能にしない場合、デスティネーションｅＮＢ４３０はハンドオーバー要求失敗メッセージをサービングｅＮＢ４２０に送信することになる。
【００７０】
ステップＳ４５では、サービングｅＮＢ４２０は、デスティネーションｅＮＢからのハンドオーバー確認の受信時にハンドオーバー・コマンドをＵＥ４１０に送信する。
【００７１】
ステップＳ４６では、ＵＥがサービングｅＮＢ４２０からハンドオーバー・コマンドを受信する場合、ＵＥ４１０はデスティネーションｅＮＢ４３０（デスティネーションｅＮＢによって制御されるセル）にハンドオーバーされ、かつ、ハンドオーバー完了メッセージをデスティネーションｅＮＢ４３０に送信することになる。
【００７２】
ステップＳ４７では、ＵＥ４１０は、ハンドオーバー手順を完了すると、ＰｒｏＳｅサービスについてのＢＳＲをデスティネーションｅＮＢ４３０に送信する。このステップは、ハンドオーバー要求がＰｒｏＳｅ関連情報を含む場合、スキップされることになる。
【００７３】
ステップＳ４８では、デスティネーションｅＮＢ４３０は、ＵＥ４１０が現時点のＰＬＭＮにおいてＰｒｏｓｅサービスを実行する権限を与えられているかどうかをチェックし、与えられている場合、デスティネーションｅＮＢ４３０は、ＰｒｏＳｅサービスを実行するための対応する割り当てられたリソースについての情報をＵＥ４１０に送信することになる。
【００７４】
図５に示されるように、種々のＰＬＭＮは共有ネットワークでの種々の期間において無線リソース上で直接発見および／または発見通信を実行することができ、この時、共有セルにおけるＰＬＭＮの権限を与えられたＵＥは、異なる期間でＰｒｏＳｅサービスを実行することができる。ＳＩＢは、ＰＬＭＮと、ＰｒｏＳｅサービスが無線リソース上で実行される期間との間の関係を指示することになる。例えば、ＳＩＢは、無線リソースに対応する期間を指示することになり、この無線リソース上で、ＰＬＭＮ１で権限を与えられたＵＥがＰｒｏＳｅサービスを実行できる。
【００７５】
ＵＥ（ＵＥはＰＬＭＮ１であるＰＬＭＮを選択する）が無線リソース上でＰｒｏＳｅサービスを実行しようとする場合、ＵＥは、無線リソースについて、その無線リソース上で、ＵＥはＰｒｏＳｅサービスまたはＰｒｏＳｅサービスのＢＳＲを実行しようとする要求を、（セルがＰＬＭＮ１およびＰＬＭＮ２によって共有されることをＳＩＢ１が指示する）サービング・セルに送信することになる。ＵＥがＰＬＭＮ１においてＰｒｏＳｅサービスを実行する権限を与えられたＵＥであるとサービング・セルが判断する場合、サービング・セルは、ＵＥに対して、ＰｒｏＳｅサービスを実行するための無線リソース、および対応する時間窓を割り当てることになる。ＵＥは、割り当てられた時間窓において割り当てられた無線リソース上でＰｒｏＳｅサービスを実行することのみ可能である。
【００７６】
ＵＥ（ＵＥはＰＬＭＮ１であるＰＬＭＮを選択し、接続状態にある）がＰＬＭＮ２において権限を与えられ、かつ、ＰＬＭＮ２（これがサービング・セルによって与えられると仮定して）においてＰｒｏＳｅサービス（例えば、モード２における直接通信またはタイプ１における直接発見で、この場合、ＰｒｏＳｅサービスを実行するための無線リソースをＵＥ自体が選択する）を実行しようとする場合、ＵＥは、ＵＥがＰＬＭＮ２においてＰｒｏＳｅサービスを実行することになるある期間をサービングｅＮＢに知らせることになり、それによって、サービングｅＮＢは、ＵＥが、その期間におけるサービング・セルにおいてスケジュールされないようにすることができる。
【００７７】
図６は、本発明のさらなる実施形態による、ＰｒｏＳｅサービスを実行する方法のフローチャートを示す。
【００７８】
図６を参照すると、ステップＡにおいて最初に、ｅＮＢ６１０は、共有セルにおいて、共有セルのＵＥ６２０に第１のＰＬＭＮ識別子を送信する。
【００７９】
ステップＨでは、ｅＮＢは、第１のＰＬＭＮに対応する、ＰｒｏＳｅサービスが共有セルにおいて実行される第１の期間をＵＥに送信する。
【００８０】
ステップＬでは、ｅＮＢは別のＰＬＭＮ識別子、および、他のＰＬＭＮ識別子に対応する、ＰｒｏＳｅサービスが共有セルにおいて実行される第２の期間をＵＥに送信する。この場合、共有セルは、ｅＮＢによって制御されており第１のＰＬＭＮおよび他のＰＬＭＮによって共有される。
【００８１】
ステップＤ４では、他のＰＬＭＮのＵＥ６２０（ＵＥは第１のＰＬＭＮであるＰＬＭＮを選択し、接続状態にある）は、無線リソースについて、その無線リソース上で、ＰｒｏＳｅサービスが他のＰＬＭＮにおいて実行される情報を、ｅＮＢ６１０に送信する。この場合、無線リソースについての情報は、第２の期間において無線リソースに対応する時間窓を含み、無線リソースについての情報は、ｅＮＢ６１０に、時間窓において共有セルにおける他のＰＬＭＮのＵＥ６２０をスケジュールしないように命令する。他のＰＬＭＮのＵＥは他のＰＬＭＮにおいて権限を与えられる。
【００８２】
ステップＤ４１では、ｅＮＢ６１０は、無線リソースについて、その無線リソース上でＰｒｏＳｅサービスが他のＰＬＭＮにおいて実行される情報をＵＥ６２０から受信し、ｅＮＢ６１０は、ＵＥ６２０が、無線リソースについての情報に含まれる無線リソースに対応する時間窓において共有セル内でスケジュールされないようにする。
【００８３】
当業者であれば理解できるが、ステップＤ４における時間窓は、例えば、サブ・フレームについての情報とすることができる、または、期間を表す任意の他の情報とすることができる。
【００８４】
本発明の技術的解決策は、例えばｅＮＢにおいて、図１、図２、図４、および図６に示されるような例示の方法を行うための装置をさらに含むことができる。
【００８５】
本発明の技術的解決策は、例えばＵＥにおいて、図１、図２、図４、および図６に示されるような例示の方法を行うための装置をさらに含むことができる。
【００８６】
ＵＥは、ＰｒｏＳｅサービスを実行する前に、権限付与情報を得るためにネットワークにアクセスしなければならない。権限付与情報を得た後、ＵＥは、リソースを割り当てるように要求するためにネットワークへのアクセスも行って（例えば、モード１における直接通信およびタイプ２における直接発見、ならびに、モード２における直接通信およびタイプ１における直接発見について、ＵＥ自体はネットワークにアクセスせずにＰｒｏＳｅサービスのための無線リソースを選択することができる）、ＰｒｏＳｅサービスを実行することになる。ＰｒｏＳｅサービスを実行しようとする多数のＵＥが同時にネットワークにアクセスする場合、ネットワークは過負荷となる場合があるため、無線リソース（特に、ランダム・アクセス・リソース）を浪費し、かつ、他のＵＥが通常のサービスを実行するのを妨げる。よって、通信ネットワークに対して、ＰｒｏＳｅサービスのための新たなアクセス・クラス禁止（ＡＣＢ）機構を導入する必要性は大きい。
【００８７】
ＳＩＢは、ＰｒｏＳｅサービスを実行するための新たなアクセス禁止パラメータを指示することができる。新たなアクセス禁止パラメータは、ＰＬＭＮ固有パラメータとすることができる、または、ＰＬＭＮ全て（共有セルのＰＬＭＮ全て）に適用可能な共通のパラメータとすることができる。新たなアクセス禁止パラメータは、アクセス・クラス（ＡＣ）別（すなわち、ＡＣ０〜ＡＣ１５は種々のアクセス禁止パラメータで構成可能である）、または、アクセス・クラス全てに適用可能な共通のアクセス禁止パラメータ（すなわち、ＡＣ０〜ＡＣ１５は共通のアクセス禁止パラメータで構成可能である）とすることができる。種々のリソースがＰｒｏＳｅサービスに必要とされるため、新たなアクセス禁止パラメータは、代替的には、直接発見または直接通信のために別個に構成可能である。
【００８８】
ＵＥが権限付与情報を得るためにまたはＰｒｏＳｅサービスを実行するためにネットワークにアクセスしようとする場合、ＵＥは、アクセス・チェックを行う、すなわち、アクセス禁止パラメータに対してアクセス制御チェックを行うことになる。ここで、ＵＥは、アクセス層（ＡＳ）または非アクセス層（ＮＡＳ）のどちらかでアクセス制御チェックを行うことができる。ＵＥがＡＳにおいてアクセス・チェックを行う場合、ＮＡＳは、ＡＳに対して、ＰｒｏＳｅサービスが、ＲＲＣ接続の状態で、ひいては場合により、新たな確率要因を導入すること、または、既存の確立要因を再利用することによって実行されることを指示することになる。ＵＥがＮＡＳにおいてアクセス制御チェックを行う場合、ＵＥが、例えば、ＳＩＢから新たなアクセス禁止パラメータを得た後、ＵＥはより高い層（すなわち、非アクセス層）に新たなアクセス禁止パラメータを送信して、さらなるアクセス・チェックを行う。アクセス・チェックの結果が禁止されたものでない場合に限り、ＵＥは、ＲＲＣ接続を開始し、かつ、ネットワークにアクセスして、権限付与情報を得る、または、ＰｒｏＳｅサービスを実行することができる。
【００８９】
図７は、本発明のある実施形態によるアクセス禁止方法のフローチャートを示す。
【００９０】
図７を参照すると、ステップＳ７１において、ｅＮＢ７１０は、例えばＳＩＢにおいて、ＰｒｏＳｅサービスを実行するためのアクセス・クラス禁止情報をＵＥ７２０に送信する。この場合、ＵＥ７２０は第１のＰＬＭＮにおいてＰｒｏＳｅサービスを実行する権限を与えられる。
【００９１】
ステップＳ７２では、ＵＥ７２０は、ｅＮＢ７１０から、第１のＰＬＭＮにおいてＰｒｏＳｅサービスを実行するためにアクセス・クラス禁止情報に従ってアクセス決定を行い、アクセスが成功する場合、ＵＥ７２０は、ｅＮＢ７１０とのＲＲＣ接続をセットアップするためにＲＲＣ接続要求をｅＮＢ７１０に送信することになる。
【００９２】
ステップＳ７３では、ＵＥ７２０は、ＰｒｏＳｅサービスを実行するための無線リソースについての要求をｅＮＢ７２０に送信する。
【００９３】
ステップＳ７４では、ｅＮＢ７１０は、ＰｒｏＳｅサービスを実行するための無線リソースについてのＵＥ７２０からの要求に応答して、ＵＥ７２０が権限を与えられると判断し、次いで、ＰｒｏＳｅサービスを実行するための無線リソースについての情報をＵＥ７２０に送信する。この場合、無線リソースについての情報は無線リソースに対応する時間窓を保持する。
【００９４】
ステップＳ７５では、ＵＥ７２０は、ｅＮＢ７１０から、ＰｒｏＳｅサービスを実行するための無線リソースについての情報における無線リソースに対応する時間窓においてＰｒｏＳｅサービスを実行する。
【００９５】
ＵＥ７２０がＰｒｏＳｅサービスを実行しようとするが、アクセス決定がアクセス禁止パラメータに従って「禁止」となる場合、ＵＥ７２０は、ＰｒｏＳｅサービスに関連した権限付与情報を得るために現時点のセルに対してＲＲＣ接続要求を開始できない、または、ｅＮＢ７１０に、ＰｒｏＳｅサービスを実行するための無線リソースを要求することができない。ＵＥ７２０は、意図されたＰｒｏＳｅサービスが実行可能とされるセルにアクセスするために、ＰＬＭＮを選択する、またはセルを再選択することができる。
【００９６】
図８は、通信システムのｅＮＢにおけるＰｒｏＳｅサービスを制御するためのデバイスの概略図を示す。ここでは、デバイスは、例えば、図７を参照して上述される実施形態においてｅＮＢ７１０とすることができるまたはｅＮＢ７１０として具現化できる装置８００を含む。
【００９７】
図８に示されるように、装置８００は、ＰｒｏＳｅサービスを実行するためのアクセス・クラス禁止情報を第１のＰＬＭＮにおいてＰｒｏＳｅサービスを実行する権限を与えられたＵＥに送信するように構成される第１の伝送ユニット８１０であって、アクセス・クラス禁止情報は、ＰＬＭＮ固有である、または共有セルのＰＬＭＮの全てに対して適用可能である、第１の伝送ユニット８１０と、ＰｒｏＳｅサービスを実行するための無線リソースについての要求をＵＥから受信するように構成される受信ユニット８２０と、ＰｒｏＳｅサービスを実行するための無線リソースについての情報を、ＰｒｏＳｅサービスを実行するための無線リソースについてのＵＥからの要求に応答してＵＥに送信するように構成される第２の伝送ユニット８３０であって、無線リソースについての情報は無線リソースに対応する時間窓を含む、第２の伝送ユニット８３０と、を含む。
【００９８】
図９は、通信システムのＵＥにおけるＰｒｏＳｅサービスを制御するためのデバイスの概略図を示す。ここで、デバイスは、例えば、図７を参照して上述される実施形態におけるＵＥ７２０とすることができるまたはＵＥ７２０として具現化できる装置９００を含む。
【００９９】
図９に示されるように、装置９００は、ｅＮＢから、第１のＰＬＭＮにおいてＰｒｏＳｅサービスを実行するためのアクセス・クラス禁止情報に従ってアクセス決定を行い、決定が成功する場合、ｅＮＢとのＲＲＣ接続をセットアップするためにＲＲＣ接続要求をｅＮＢに送信するように構成される決定ユニット９１０であって、ＵＥは第１のＰＬＭＮにおいてＰｒｏＳｅサービスを実行する権限を与えられている、決定ユニット９１０と、ＰｒｏＳｅサービスを実行するための無線リソースについての要求をｅＮＢに送信するように構成される第３の伝送ユニット９２０と、ｅＮＢから、ＰｒｏＳｅサービスを実行するための無線リソースについての情報における無線リソースに対応する時間窓においてＰｒｏＳｅサービスを実行するように構成されるＰｒｏＳｅサービス実行ユニット９３０と、を含む。
【０１００】
前述の実施形態は、説明のためのものに過ぎず、本発明を限定することを意図したものではないことに留意すべきである。任意に配置を組み合わせて有利に配置された種々の実施形態で生じる種々の技術的解決策の使用を含む、本発明の趣旨から逸脱しないいずれの技術的解決策も本発明の範囲にあるものとする。さらに、特許請求の範囲におけるいずれの参照符号も、本明細書における特許請求の範囲を限定するものとして解釈されるべきではなく、「含む（ｃｏｍｐｒｉｓｉｎｇ）」という用語は、他の特許請求の範囲または説明に列挙されている別のデバイスまたはステップを除外するものではない。
【図１】
0006522108.tif 000002
【図２】
0006522108.tif 000003
【図３】
0006522108.tif 000004
【図４】
0006522108.tif 000005
【図５】
0006522108.tif 000006
【図６】
0006522108.tif 000007
【図７】
0006522108.tif 000008
【図８】
0006522108.tif 000009
【図９】
0006522108.tif 000010